(57)【要約】【課題】サーボ層と記録再生層を備える光記録媒体において、記録再生層の層数を増大とトラッキング制御の安定を両立させる。【解決手段】複数の記録再生層１４とサーボ層１８とを備える光記録媒体１０に適用される光記録再生方法であって、サーボ層１８を利用してトラッキングを行いながら記録再生層１４に情報を記録するサーボ層利用ステップと、記録再生層１４における情報の記録済み領域を利用してトラッキングを行いながら、他の記録再生層１４に情報を記録する記録済み領域利用ステップと、を有するようにした。【選択図】図４
2012164380.tif 000002
【特許請求の範囲】
【請求項１】
トラッキング制御用の凹凸を有しない複数の記録再生層と、トラッキング制御用の凹凸又は溝が形成されるサーボ層とを備える光記録媒体に対して、前記記録再生層に情報を記録する光記録再生方法であって、
前記サーボ層を利用してトラッキングを行いながら前記記録再生層に情報を記録するサーボ層利用ステップと、
前記記録再生層における情報の記録済み領域を利用してトラッキングを行いながら、他の前記記録再生層に情報を記録する記録済み領域利用ステップと、
を有することを特徴とする光記録再生方法。
【請求項２】
前記記録済み領域利用ステップでは、前記記録済み領域を提供する前記記録再生層に隣接する前記記録再生層に情報を記録する事を特徴とする請求項１に記載の光記録再生方法。
【請求項３】
前記サーボ層利用ステップでは、前記サーボ層に隣接する前記記録再生層に情報を記録する事を特徴とする請求項１又は２に記載の光記録再生方法。
【請求項４】
前記サーボ層利用ステップでは、前記記録再生層におけるデータ領域の全てに対して情報の記録が完了するまで、記録作業を継続するようにし、
前記記録済み領域利用ステップでは、前記サーボ層利用ステップにおける前記記録再生層の前記記録済み領域を利用して、他の前記記録再生層に情報を記録することを特徴とする請求項１乃至３のいずれかに記載の光記録再生方法。
【請求項５】
前記サーボ層利用ステップでは、他の前記記録再生層におけるデータ領域の全てに対して情報の記録が完了するまで、記録作業を継続するようにし、その後、他の前記記録再生層の前記記録済み領域を利用して、次の前記記録再生層に情報を記録することを特徴とする請求項４に記載の光記録再生方法。
【請求項６】
前記サーボ層利用ステップにおいて、前記サーボ層に照射されるトラッキング用ビームの波長と、前記記録再生層に照射される記録用ビームの波長が、略同じであり、
前記サーボ層は、前記トラッキング用ビーム又は前記記録用ビームによって情報の記録が可能な記録再生膜を有することを特徴とする請求項１乃至５のいずれかに記載の光記録再生方法。
【請求項７】
前記光記録媒体において、前記サーボ層と該サーボ層に最も近い前記記録再生層の間に配置されるバッファ層の厚さは、複数の前記記録再生層の間に配置される複数の中間層のいずれかの厚さと略同じであることを特徴とする請求項１乃至６のいずれかに記載の光記録再生方法。
【請求項８】
前記光記録媒体において、複数の前記中間層の厚さが２種類以下に設定されることを特徴とする請求項７に記載の光記録再生方法。
【請求項９】
前記光記録媒体において、前記サーボ層が、複数の前記記録再生層と比較して光入射面から遠い位置に配置されることを特徴とする請求項１乃至８のいずれかに記載の光記録再生方法。
【請求項１０】
前記光記録媒体において、前記サーボ層が、複数の前記記録再生層と比較して光入射面から近い位置に配置されることを特徴とする請求項１乃至８のいずれかに記載の光記録再生方法。
【発明の詳細な説明】
【技術分野】
【０００１】
本発明は、複数の記録再生層を有する光記録媒体に対して情報を記録する光記録再生方法に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定している。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【０００４】
一方、光記録媒体において記録再生層を多層化する場合、各記録再生層に対してグルーブ／ランド等のトラッキング制御用の凹凸を形成しようとすると、媒体構成が複雑となり、偏芯調整などの作業が困難になることが懸念される。また、記録再生層を設けるごとに凸凹を形成するための母型となるスタンパが必要となり、多層化すればするほど、このスタンパを使う回数が増え製造コストが増大する。
【０００５】
そこで近年、光記録媒体において、凹凸や溝を有するサーボ層と、凹凸や溝を有しない記録再生層を別々に設けるようにし、トラッキング制御専用のビームを用いてサーボ層からトラッキング信号を得ながら、記録再生専用のビームによって記録再生層に情報を記録する技術が提案されている（特許文献１、２参照）。
【０００６】
また、２層同時読み取りを目的として、凹凸や溝を有する記録層と、凹凸や溝を有しない記録層を交互に積層する技術も提案されている（特許文献３参照）。
【先行技術文献】
【特許文献】
【０００７】
【特許文献１】特開２００８−９７６９３号公報
【特許文献２】特開２００８−９７６９４号公報
【特許文献３】特開２００８−１０８３８３号公報
【非特許文献】
【０００８】
【非特許文献１】I. Ichimura et. al., Appl. Opt, 45, 1974-1803 (2006)
【非特許文献２】K. Mishima et. al., Proc. of SPIE, 6282, 62820I (2006)
【発明の概要】
【発明が解決しようとする課題】
【０００９】
しかし、特許文献３の技術では、記録再生層の層数を増大させると、凹凸や溝を有する記録層の層数が増大するので、結局、媒体構成が複雑となり、偏芯調整などの作業が困難になる。
【００１０】
また、特許文献１、２の技術では、記録再生層の層数が増大するにつれて、記録再生層とサーボ層の距離が離れてしまうので、両者の間に膜厚公差が生じやすくなる。具体的に記録再生層に照射される記録再生用のビームではフォーカス制御を行い、サーボ層に照射されるトラッキング用のビームではトラッキング制御のみを行うようにしている。即ち、トラッキング用のビームのフォーカスは、記録再生用のビームのフォーカス制御に依存する。結果、膜厚公差が大きくなると、トラッキング用のビームのフォーカス位置が変動してしまい、トラッキング信号が不安定になって、十分なトラッキング制御が行えないという問題があった。この問題を解決するためには、トラッキング制御を行うビームの光学系にも、フォーカスサーボ機構を導入することが考えられるが、それでも補正できる膜厚公差に限界があり、また、光ピックアップが大きくなるという問題があった。
【００１１】
特に、記録再生用のビームとトラッキング用のビームが、一つの対物レンズを共有する場合、対物レンズに入射させる双方のビームの拡がり角度を異ならせることで、焦点位置をずらず必要がある。両ビームの拡がり角度を大きく異ならせるほど、トラッキング用のビームによるトラッキング制御と、記録再生用のビームに求められるトラッキング制御のずれが大きくなる。例えば、光記録媒体に反りが生じている場合などは、トラッキング位置と記録位置が大きくずれてしまうという問題があった。
【００１２】
本発明は上記問題点に鑑みてなされたものであり、サーボ層と記録再生層を有する光記録媒体に対して、トラッキング制御を常に安定的に行うための手法を提供することを目的としている。
【課題を解決するための手段】
【００１３】
本発明者らの鋭意研究によって、上記目的は以下の手段によって達成される。
【００１４】
即ち、上記目的を達成する本発明は、トラッキング制御用の凹凸を有しない平面構造の複数の記録再生層と、トラッキング制御用の凹凸又は溝が形成されるサーボ層とを備える光記録媒体に対して、前記記録再生層に情報を記録する光記録再生方法であって、前記サーボ層を利用してトラッキングを行いながら前記記録再生層に情報を記録するサーボ層利用ステップと、前記記録再生層における情報の記録済み領域を利用してトラッキングを行いながら、他の前記記録再生層に情報を記録する記録済み領域利用ステップと、を有することを特徴とする光記録再生方法である。
【００１５】
上記目的を達成する上記光記録再生方法の前記記録済み領域利用ステップでは、前記記録済み領域を提供する前記記録再生層に隣接する前記記録再生層に情報を記録する事を特徴とする。
【００１６】
上記目的を達成する上記光記録再生方法の前記サーボ層利用ステップでは、前記サーボ層に隣接する前記記録再生層に情報を記録する事を特徴とする。
【００１７】
上記目的を達成する上記光記録再生方法の前記サーボ層利用ステップでは、前記記録再生層におけるデータ領域の全てに対して情報の記録が完了するまで、記録作業を継続するようにし、前記記録済み領域利用ステップでは、前記サーボ層利用ステップにおける前記記録再生層の前記記録済み領域を利用して、他の前記記録再生層に情報を記録することを特徴とする。
【００１８】
上記目的を達成する上記光記録再生方法の前記サーボ層利用ステップでは、他の前記記録再生層におけるデータ領域の全てに対して情報の記録が完了するまで、記録作業を継続するようにし、その後、他の前記記録再生層の前記記録済み領域を利用して、次の前記記録再生層に情報を記録することを特徴とする。
【００１９】
上記目的を達成する上記光記録再生方法の前記サーボ層利用ステップにおいて、前記サーボ層に照射されるトラッキング用ビームの波長と、前記記録再生層に照射される記録用ビームの波長が、略同じであり、前記サーボ層は、前記トラッキング用ビーム又は前記記録用ビームによって情報の記録が可能な記録再生膜を有することを特徴とする。
【００２０】
上記目的を達成する上記光記録再生方法の前記光記録媒体において、前記サーボ層と該サーボ層に最も近い前記記録再生層の間に配置されるバッファ層の厚さは、複数の前記記録再生層の間に配置される複数の中間層のいずれかの厚さと略同じであることを特徴とする。
【００２１】
上記目的を達成する上記光記録再生方法の前記光記録媒体において、複数の前記中間層の厚さが２種類以下に設定されることを特徴とする。
【００２２】
上記目的を達成する上記光記録再生方法の前記光記録媒体において、前記サーボ層が、複数の前記記録再生層と比較して光入射面から遠い位置に配置されることを特徴とする。
【００２３】
上記目的を達成する上記光記録再生方法の前記光記録媒体において、前記サーボ層が、複数の前記記録再生層と比較して光入射面から近い位置に配置されることを特徴とする。
【発明の効果】
【００２４】
本発明によれば、サーボ層と記録再生層を有する光記録媒体に対して、トラッキング制御を常に安定的に行いながら、記録再生層に対して情報を記録することが可能となる。
【図面の簡単な説明】
【００２５】
【図１】本発明の実施形態に係る光記録媒体の光記録再生方法を実現する光ピックアップの構造を示すブロック図である。
【図２】同光記録媒体の積層構造を示す断面図である。
【図３】同光記録再生方法の記録手順を拡大して示す断面図である。
【図４】同光記録再生方法の記録手順を拡大して示す断面図である。
【図５】本発明の実施形態の光記録再生方法で用いられる光記録媒体の他の積層構造例を示す断面図である。
【図６】同光記録再生方法の記録手順の他の例を拡大して示す断面図である。
【図７】同光記録再生方法の記録手順の他の例を拡大して示す断面図である。
【発明を実施するための形態】
【００２６】
以下、本発明の実施の形態を添付図面を参照して説明する。
【００２７】
図１には、本発明の実施形態に係る光記録媒体１０と、この光記録媒体１０の記録再生に用いられる光ピックアップ９０の構成が示されている。光ピックアップ９０は、第１光学系１００と、第２光学系２００を備える。第１光学系１００は、光記録媒体１０の記録再生層群１４に対して記録・再生を行う光学系となる。第２光学系２００は、第１光学系１００を利用して記録再生層群１４に情報を記録する際に、後述するサーボ層１８や記録再生層群１４の記録済み領域を利用してトラッキング制御を行う光学系となる。
【００２８】
第１光学系１００の光源１０１から出射された、青色波長３８０〜４５０ｎｍ（ここでは４０５ｎｍ）となる発散性の記録再生用のビーム１７０は、球面収差補正手段１９３を備えたコリメートレンズ１５３を透過し、偏光ビームスプリッタ１５２に入射する。偏光ビームスプリッタ１５２に入射したビーム１７０は、偏光ビームスプリッタ１５２を透過して、更に４分の１波長板１５４の透過によって円偏光に変換された後、第２光学系２００のビームスプリッタ２６０に入射する。このビームスプリッタ２６０は、透過率が大きく、且つ反射率が小さく設定されている。具体的に反射率に対する透過率の比率が１０倍又はそれ以上に設定される。従って、ビーム１７０はビームスプリッタ２６０を透過して、対物レンズ１５６で収束ビームに変換される。このビーム１７０は、光記録媒体１０の内部に形成された、記録再生対象となる記録再生層群１４又はサーボ層１８のいずれかに集光される。
【００２９】
対物レンズ１５６の開口はアパーチャ１５５で制限され、開口数ＮＡを０．７０〜０．９０（ここでは０．８５）としている。例えば記録再生層群１４で反射されたビーム１７０は、対物レンズ１５６、ビームスプリッタ２６０、及び４分の１波長板１５４を透過して往路とは９０度異なる直線偏光に変換された後、偏光ビームスプリッタ１５２で反射される。
【００３０】
偏光ビームスプリッタ１５２で反射されたビーム１７０は、集光レンズ１５９を透過して収束光に変換され、シリンドリカルレンズ１５７を経て、光検出器１３２に入射する。ビーム１７０には、シリンドリカルレンズ１５７を透過する際、非点収差が付与される。
【００３１】
光検出器１３２は、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、光記録媒体１０に記録された情報の再生信号等が生成される。ＦＥ信号およびＴＥ信号は、所望のレベルに増幅および位相補償が行われた後、アクチュエータ１９１および１９２にフィードバック供給されて、フォーカス制御およびトラッキング制御がなされる。なお、第１光学系１００によるトラッキング制御は再生時のみ利用される。
【００３２】
第２光学系２００の光源２０１から出射された、青色波長３８０〜４５０ｎｍ（ここでは４０５ｎｍ）となる発散性のトラッキング制御用のビーム２７０は、球面収差補正手段２９３を備えたコリメートレンズ２５３を透過し、偏光ビームスプリッタ２５２に入射する。偏光ビームスプリッタ２５２に入射したビーム２７０は、偏光ビームスプリッタ２５２を透過して、更に第２光学系用の４分の１波長板２５４を透過して円偏光に変換された後、ビームスプリッタ２６０で反射される。このビーム２７０は更に対物レンズ１５６で収束ビームに変換されて、光記録媒体１０の内部に形成されたサーボ層１８又は記録再生層群１４における記録済み領域に集光される。例えばサーボ層１８で反射されたビーム２７０は、対物レンズ１５６を透過してビームスプリッタ２６０で反射し、４分の１波長板２５４において往路とは９０度異なる直線偏光に変換された後、偏光ビームスプリッタ２５２で更に反射される。偏光ビームスプリッタ２５２で反射されたビーム２７０は、集光レンズ２５９を透過して収束光に変換され、シリンドリカルレンズ２５７を経て、光検出器２３２に入射する。ビーム２７０には、シリンドリカルレンズ２５７を透過する際、非点収差が付与される。
【００３３】
光検出器２３２は、図示しない４つの受光部を有し、それぞれ受光した光量に応じた電流信号を出力する。これら電流信号から、プッシュプル法によるトラッキング誤差（ＴＥ）信号が生成される。なお、サーボ層１８にも情報が記録されている場合は再生信号を生成してもよい。この光検出器２３２側では、フォーカス誤差（ＦＥ）信号を生成する必要はないが、勿論、フォーカス誤差（ＦＥ）信号を生成しても良い。
【００３４】
なお、既に述べたように、ビームスプリッタ２６０は、透過率が大きく且つ反射率が小さく設定されいる。従って、第１光学系１００の光源１０１から出射され、記録再生層群１４のいずれかで反射した戻り光の一部は、ビームスプリッタ２６０で反射して第２光学系２００側に進む。反対に、第２光学系２００の光源２０１から出射され、サーボ層１８又は記録再生層群１４における記録済み領域で反射した戻り光の大部分は、ビームスプリッタ２６０を透過して第１光学系１００側に進む。即ち、第１光学系１００と第２光学系２００において、略同じ青色波長３８０〜４５０ｎｍの光源を採用する以上、両者の戻り光の混合は避けられない。しかし、第１光学系１００と第２光学系２００は、光記録媒体１０内において互いに異なる焦点位置となるため、各ビーム１７０、２７０の拡がり角度が異なることから、特に図示しない一定形状のスリットやアパーチャを用いてビーム１７０、２７０の一方のみを抽出してから、各光検出器１３２、２３２に入射させることで、混合による影響を除去する。
【００３５】
とりわけ、第１光学系１００におけるビーム１７０の光記録媒体１０内の焦点位置と、第２光学系２００のビーム２７０の光記録媒体１０内の焦点位置の差が、常に一定の範囲内に収まるようにすると、上述のスリットやアパーチャを簡潔な構造にできるので、より簡便にビームの分離が可能となる。焦点距離の差を安定させるためには、記録再生用のビーム１７０の焦点位置と、サーボ用のビーム２７０の焦点位置が近い方が、誤差が小さくなるので好ましいと言える。
【００３６】
第１光学系１００による記録再生層群１４への情報の記録時は、第２光学系２００のＴＥ信号について、所望のレベルに増幅および位相補償が行われた後、アクチュエータ１９１および１９２にフィードバック供給されてトラッキング制御がなされる。この結果、第２光学系２００のトラッキング制御に基づいて、第１光学系１００が記録再生層群１４に情報を記録するようになっている。なお、本実施形態では、記録再生層群１４に記録済みの情報を再生する際は、記録再生層群１４上の記録マークを利用して第１光学系１００が独自にトラッキング制御するようにしている。一方、第２光学系２００のトラッキング制御を利用しながら再生することも勿論可能である。
【００３７】
図２には、本実施形態の光記録媒体１０の断面構造が拡大して示されている。
【００３８】
光記録媒体１０は、外径が約１２０ｍｍ、厚みが約１．２ｍｍの円盤形状となっている。この光記録媒体１０は、光入射面１０Ａ側から、カバー層１１、記録再生層群１４及び中間層群１６、バッファ層１７、サーボ層１８、支持基板１２を備えて構成される。
【００３９】
記録再生層群１４は、ここでは第１〜第６記録再生層１４Ａ〜１４Ｆを備えて構成されており、それぞれに情報を記録できる構造となっている。この第１〜第６記録再生層１４Ａ〜１４Ｆは、トラッキング制御用の凹凸や溝を有しない平面構造となっており、第１光学系１００から高エネルギーとなる記録用のビーム１７０が照射されると、記録マークが形成される。なお、この記録再生層群１４の種類として、情報の追記が出来るが書き換えが出来ない追記型記録再生層と、情報の書換が可能な書換型記録再生層がある。
【００４０】
支持基板１２は、光記録媒体に求められる厚み（約１．２ｍｍ）を確保するための、厚さ１．０ｍｍで直径１２０ｍｍとなる円盤形状の基板であり、この支持基板１２の光入射面１０Ａ側の面にサーボ層１８が形成される。具体的には、支持基板１２における光入射面１０Ａ側に、その中心部近傍から外縁部に向けてランド１８Ａおよびグルーブ１８Ｂが螺旋状に形成される。このランド１８Ａおよびグルーブ１８Ｂが、トラッキング制御用の凹凸（溝）となり、第２光学系２００のビーム２７０がガイドされるようになっている。
【００４１】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。なお、支持基板１２は、ビーム２７０の光路とならないことから、高い光透過性を有している必要はない。
【００４２】
支持基板１２の上に形成されるサーボ層１８は、支持基板１２の表面にトラッキング制御用の凹凸（グルーブおよびランド）と反射性の層を形成することによって構成される。特に本実施形態では、情報を記録可能な記録膜が設けられている。この記録膜は、後述する記録再生層１４Ａ〜１４Ｆと略同じ膜構成となっている。なお、このサーボ層１８において情報の記録機能が不要な場合は、Ａｇ等の金属層を形成して、単純な光反射膜として機能させれば良い。
【００４３】
サーボ層１８における隣接するランド１８Ａ同士又はグルーブ１８Ｂ同士のピッチＰ１は、ここでは０．３７μｍ以下、例えば０．２６μｍ〜０．３５μｍの範囲内に設定される。具体的にピッチＰ１は０．３２μｍ近傍に設定される。  記録再生層１４Ａ〜１４Ｆに記録される記録マークのトラックピッチＰ２は、ランド１８Ａ及びグルーブ１８ＢのピッチＰ１と略同じに設定される。結果、記録マーク間のトラックピッチＰ２は、０．３７μｍ未満に設定され、望ましくは０．２６μｍ〜０．３５μｍの範囲内に設定され、より好ましくは０．３２μｍ近傍に設定される。
【００４４】
この結果、記録再生層１４Ａ〜１４Ｆに記録されるトラックピッチＰ２は、ＢＤ規格と互換性のある０．３２μｍ前後となる。サーボ層１８のランド１８Ａ同士／グルーブ１８Ｂ同士のピッチＰ１（０．３２μｍ前後）は、青色波長領域のビーム２７０で十分トラッキングができる大きさとなっている。
【００４５】
バッファ層１７は、光透過性のアクリル系の紫外線硬化型樹脂により構成されており、後述する第１〜第５中間層１６Ａ〜１６Ｅの何れかの膜厚と一致させている。ここでは、第１〜第５中間層１６Ａ〜１６Ｅの膜厚の一つである１２μｍに設定されている。
【００４６】
バッファ層１７の光入射面１０Ａ側に積層される第１〜第６記録再生層１４Ａ〜１４Ｆは、それぞれ、追記型記録膜の両外側に誘電体膜を積層した３層構造となっている（図示省略）。なお、この第１〜第６記録再生層１４Ａ〜１４Ｆは、第１光学系１００における青色波長領域（短い波長）のビーム１７０に対して光反射率・吸収率・透過率等が最適化されている。
【００４７】
各記録再生層の誘電体膜は、追記型記録膜を保護するという基本機能に加えて、記録マークの形成前後における光学特性の差を拡大させる役割も果たす。
【００４８】
なお、ビーム１７０を照射した場合に、誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００４９】
誘電体膜に挟まれる追記型記録膜は不可逆的な記録マークが形成される膜であり、記録マークが形成された部分とそれ以外の部分（ブランク領域）は、ビーム１７０に対する反射率が大きく異なる。この結果、データの記録・再生を行うことができる。
【００５０】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００５１】
なお、ここでは第１〜第６記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅを主成分とすることが好ましい。
【００５２】
中間層群１６は、光入射面１０Ａから遠い側から順番に第１〜第５中間層１６Ａ〜１６Ｅを有しており、第１〜第６記録再生層１４Ａ〜１４Ｆの間に積層される。各中間層１６Ａ〜１６Ｅは、アクリル系またはエポキシ系の紫外線硬化型樹脂によって構成される。この中間層１６Ａ〜１６Ｅの膜厚は、積層数を増大させるためには２０μｍ以下に設定することが好ましく、第１中間層１６Ａが１６μｍ、第２中間層１６Ｂが１２μｍ、第３中間層１６Ｃが１６μｍ、第４中間層１６Ｄが１２μｍ、第５中間層１６Ｅが１６μｍとなる。つまり、２種類の膜厚（１６μｍ、１２μｍ）の中間層が交互に積層されている。この結果、第１〜第６記録再生層１４Ａ〜１４Ｆの層間距離として、光入射面側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての中間層群１６の膜厚を同じに設定しても良い。
【００５３】
カバー層１１は、中間層群１６と同様に光透過性のアクリル系の紫外線硬化型樹脂により構成されており、３８μｍの膜厚に設定されている。
【００５４】
光記録媒体１０は、上記のように構成される結果、サーボ層１８は、光入射面１０Ａから０．１２２ｍｍ（１２２μｍ）の距離に位置しており、また、記録再生層群１４の中で光入射面１０Ａから最も遠い第１記録再生層１４Ａは、光入射面１０Ａから０．１１ｍｍ（１１０μｍ）の距離に位置しており、第２記録再生層１４Ｂは光入射面１０Ａから９４μｍ、第３記録再生層１４Ｃは光入射面１０Ａから８２μｍ、第４記録再生層１４Ｄは光入射面１０Ａから６６μｍ、第５記録再生層１４Ｅは光入射面１０Ａから５４μｍ、そして、光入射面１０Ａに最も近い第６記録再生層１４Ｆは、光入射面１０Ａから３８μｍの距離に位置することになる。また、記録再生層群１４の全体的な厚み（第１記録再生層１４Ａ〜第６記録再生層１４Ｆ間の距離）は７２μｍとなる。
【００５５】
また、本実施形態の光記録媒体１０では、サーボ層１８が、記録再生層群１４と比較して光入射面１０Ａから遠い位置に配置されている。このようにすると、トラッキング用のランド１８Ａ及びグルーブ１８Ｂが、記録再生層群１４に照射される記録再生用のビーム１７０に悪影響を与えることを低減できる。
【００５６】
次に、本実施形態の光記録媒体１０の製造方法について説明する。
【００５７】
まず、金属スタンパを用いることによる、ポリカーボネイト樹脂の射出成型法により、グルーブおよびランドが形成された支持基板１２を作製する。射出成形の型を利用して、この支持基板１２には、記録再生層群１４のアドレス情報、記録再生パワー等を含む記録条件、記録再生層１４Ａ〜１４Ｆの位置又は層間距離など、媒体製造時に予め保持させておくべき基本情報がプリフォーマットされる。具体的には、ランド１８Ａ又はグルーブ１８Ｂのウォブルを利用して、基本情報がプリフォームされる。なお、支持基板１２の作製は射出成型法に限られず、２Ｐ法や他の方法によって作製しても構わない。
【００５８】
その後、支持基板１２におけるグルーブ及びランドが設けられた側の表面にサーボ層１８を形成する。サーボ層１８は、誘電体膜、追記型記録膜、誘電体膜の順に気相成長法を用いて形成し、記録膜として機能させる。更に、サーボ層１８の上にバッファ層１７を形成する。バッファ層１７は、例えば、粘度調整されたアクリル系またはエポキシ系の紫外線硬化型樹脂をスピンコート法等により皮膜し、これに対して紫外線を照射して硬化することにより形成する。なお、紫外線硬化性樹脂の代わりに、光透過性樹脂からなる光透過性シートを接着剤や粘着剤等を用いてサーボ層１８の上に貼り付けることで形成することもできる。
【００５９】
次に、第１記録再生層１４Ａを形成する。具体的には、誘電体膜、追記型記録膜、誘電体膜の順に気相成長法を用いて形成する。中でもスパッタリング法を用いることが好ましい。その後、第１記録再生層１４Ａの上に第１中間層１６Ａを形成する。第１中間層１６Ａは、例えば、粘度調整された紫外線硬化型樹脂をスピンコート法等により皮膜し、その後、この紫外線硬化性樹脂に紫外線を照射して硬化することにより形成する。この手順を繰り返すことで、第２記録再生層１４Ｂ、第２中間層１６Ｂ・・・と順番に積層していく。
【００６０】
第６記録再生層１４Ｆまで完成したら、その上にカバー層１１を形成してこの光記録媒体１０が完成する。なおカバー層１１は、例えば、粘度調整されたアクリル系またはエポキシ系の紫外線硬化型樹脂をスピンコート法等により皮膜し、これに対して紫外線を照射して硬化することにより形成する。なお、本実施形態では上記製造方法を説明したが、本発明は上記製造方法に特に限定されるものではなく、他の製造技術を採用することもできる。
【００６１】
次に、図３を参照して、光ピックアップ９０を用いて、本実施形態の光記録媒体１０に情報を記録再生する方法について説明する。
【００６２】
＜サーボ層への記録／汎用ステップ＞
【００６３】
この光記録媒体１０のサーボ層１８に情報を記録する際は、従来の公知手法を用いる。具体的には第１光学系１００のみを用いて、サーボ層１８に対してビーム１７０を照射し、グルーブ１８Ｂを利用してトラッキング制御及びフォーカス制御を行いながら、グルーブ１８Ｂ上に情報を記録する。再生についても同様である。
【００６４】
＜第１記録再生層への記録／サーボ層利用ステップ＞
【００６５】
サーボ層１８に隣接する第１記録再生層１４Ａに情報を記録する場合、まず、第２光学系２００の青色波長領域のビーム２７０をサーボ層１８に照射してトラッキングを行う。具体的には、図３（Ａ）、（Ｂ）に示されるように、サーボ層１８におけるグルーブ１８Ｂに対して、ビーム２７０のスポットを照射してトラッキングを行う。この作業と同時に、第１光学系１００の青色波長領域の記録用ビーム１７０を第１記録再生層１４Ａに照射する。
【００６６】
その結果、グルーブ１８Ｂをトラッキングしながら、このグルーブ１８Ｂに沿って、第１記録再生層１４Ａに情報が記録される。結果、第１記録再生層１４Ａに形成される記録マークのトラックピッチＰ２は、グルーブ１８Ｂ間のピッチＰ１と一致することになる。なお、サーボ層１８には、光記録媒体１０に関する基本仕様や、情報記録層群１４の積層枚数に関する情報が、記録ピットやＢＣＡ（バーストカッティングエリア）に予め記録されており、トラッキング制御を開始する前に常に読み出すようになっている。光記録媒体に関する基本情報としては、サーボ層１８の位置、第１〜第６記録再生層１４Ａ〜１４Ｆの位置、記録再生層群の層間距離に関するルールを含むようになっている。
【００６７】
第１記録再生層１４Ａに対して、必要な情報の記録が完了した後は、今回の追記情報（記録に関するアドレス情報、コンテンツ情報等）をサーボ層１８側に記録して完了する。なお、この場合におけるサーボ層１８に対する記録は、既に述べた汎用ステップとして、ビーム１７０を利用して行うが、勿論、トラッキング制御を行っているビーム２７０を利用して直接記録しても良い。管理情報をサーボ層１８に集約させることで、次回の記録再生時に、どこから記録するべきか、容易に把握することができるようになる。
【００６８】
なお、仮にサーボ層１８が記録層を有しない場合は、例えば、光入射面１０Ａから最も遠い（サーボ層１８に最も近い）第１記録再生層１４Ａの一部に管理領域を確保しておき、そこに管理情報を記録しておくことが好ましい。
【００６９】
その後、第１記録再生層１４Ａに対する情報の記録を再開する場合は、先ず、サーボ層１８に記録されている管理情報を再生して、第１記録再生層１４Ａにおける前回の記録が完了した位置を確認し、その位置から記録を継続する。このようにして、サーボ層利用ステップでは、第１記録再生層１４Ａにおけるデータ領域の全てに対して情報の記録が完了するまで、記録作業を必ず継続していく。仮にデータ領域が中途半端に余ったり、必要に応じて未記録のスペースを確保しなければならない場合であっても、そこにダミー情報を記録することで、情報の継続を維持する。この結果、第１記録再生層１４Ａにおけるデータ領域の全てが記録済み領域となる。
【００７０】
＜第２記録再生層への記録／記録済み領域利用ステップ＞
【００７１】
第１記録再生層１４Ａのデータ領域の全てに情報の記録が完了したら、次に、第１記録再生層１４Ａに隣接する第２記録再生層１４Ｂに情報を記録する。この場合、図４（Ａ）、（Ｂ）に示されるように、まず第２光学系２００のトラッキング制御用のビーム２７０を第１記録再生層１４Ａの記録済み領域に照射することで、その再生信号を利用しながらトラッキング制御を行う。この作業と同時に、第１光学系１００の記録用のビーム１７０を第２記録再生層１４Ｂに照射して記録を行う。なお、必要な情報の記録が完了した後は、今回の追記情報（記録に関するアドレス情報、コンテンツ情報等）をサーボ層１８側に記録して完了する。
【００７２】
その後、第２記録再生層１４Ｂに対する情報の記録を再開する場合は、先ず、サーボ層１８に記録されている管理情報を再生して、第２記録再生層１４Ｂにおける前回の記録が完了した位置を確認し、その位置から記録を継続する。このようにして、記録済み領域利用ステップでは、第２記録再生層１４Ｂにおけるデータ領域の全てに対して情報の記録が完了するまで、記録作業を必ず継続していく。仮にデータ領域が中途半端に余ったり、必要に応じて未記録のスペースを確保しなければならない場合は、ダミー情報を記録する事ことで情報の継続を維持する。この結果、第２記録再生層１４Ｂにおけるデータ領域の全てが記録済み領域となる。
【００７３】
＜第３記録再生層以降の記録／記録済み領域利用ステップ＞
【００７４】
第２記録再生層１４Ｂのデータ領域の全てに情報の記録が完了したら、次に、第２記録再生層１４Ｂに隣接する第３記録再生層１４Ｃに情報を記録する。この場合、第２光学系２００のトラッキング制御用のビーム２７０を第２記録再生層１４Ｂの記録済み領域に照射することで、その再生信号を利用しながらトラッキング制御を行う。この作業と同時に、第１光学系１００の記録用のビーム１７０を第３記録再生層１４Ｃに照射して記録を行う。その後は、第２記録再生層１４Ｂで説明した記録済み領域利用ステップと同じであるので説明を省略する。以上の手順を繰り返して、第１〜第６記録再生層１４Ａ〜１４Ｆまで、この順番に情報を記録していく。
【００７５】
なお、例えば第１記録再生層１４Ａに記録された情報を再生する際には、先ず、第１光学系１００のビーム１７０を利用してサーボ層１８を再生し、上述の基本仕様と、記録に基づく追記情報（例えば第１記録再生層１４Ａに記録したコンテンツ情報等）を読み出す。その後、これらの情報に基づいて、第１光学系１００のビーム１７０を第１記録再生層１４Ａに移動させて所定アドレスにアクセスして再生を行う。この際は、第１記録再生層１４Ａに記録されている記録マークを利用してトラッキングを行えば良い。従って、第１記録再生層１４Ａのコンテンツ再生中は、第２光学系２００のビーム２７０は不要とすることができる。
【００７６】
以上、本実施形態における光記録媒体１０及び光記録再生方法によれば、サーボ層１８を利用してトラッキングを行いながら記録再生層群１６に情報を記録するサーボ層利用ステップと、記録再生層１６における情報の記録済み領域を利用してトラッキングを行いながら、他の記録再生層群１６に情報を記録する記録済み領域利用ステップの双方を備えている。この結果、記録再生層群１６に対して最初に情報を記録する際は、サーボ層利用ステップによって、サーボ層１８を積極的に利用してトラッキング制御を行う。一方、いずれかの記録再生層のデータ領域が記録済み領域となった場合は、記録済み領域利用ステップに移行する。結果、記録再生層の記録済み領域を利用してトラッキング制御を行いながら、他の記録再生層に情報を記録していくことができる。
【００７７】
このようにすることで、記録再生層群１６の積層数を増大させても、トラッキング制御を行う記録再生層群１６の中の記録済み領域と、情報を記録する記録再生層の未記録領域との距離（積層方向の距離）を近づけることが可能となる。結果、トラッキング制御用のビーム２７０と、記録再生用のビーム１７０の間に生じる膜厚公差を小さくすることができるので、トラッキング制御用のビーム２７０を独立してフォーカス制御しなくても、トラッキング信号を安定させることができる。
【００７８】
特に本実施形態では、サーボ層利用ステップにおいて、サーボ層１８に隣接する第１記録再生層１４Ａに情報を記録するようにしている。結果、サーボ層１８と第１記録再生層１４Ａの層間距離を小さくすることができ（具体的には２０μｍ以下にすることができ）、トラッキング信号をより安定させることが出来る。また、記録済み領域利用ステップにおいても、例えば第１記録再生層１４Ａの記録済み領域を利用する場合は、これに隣接する第２記録再生層１４Ｂに情報を記録する。第２記録再生層１４Ｂの記録済み領域を利用する場合は、これに隣接する第３記録再生層１４Ｃに情報を記録する。このように、トラッキング制御目的で利用する記録再生層と、記録対象となる記録再生層を隣接させることで、同様にトラッキング信号を一層安定させることが出来る。
【００７９】
更に本実施形態では、サーボ層利用ステップ、記録済み領域利用ステップのいずれにおいても、記録対象となる記録再生層におけるデータ領域の全てに対して情報の記録が完了するまで、記録作業を継続する。なお、この「継続」とは、記録対象となる記録再生層のデータ領域内に、未記録状態が続くことによってトラッキング不能となるエリアを残さないことを意味する。従って、本実施形態のように、記録再生層におけるデータ領域内に、未記録領域が形成されないようにすれば、他の記録再生層に対して安定したトラッキング制御を提供できるようになる。
【００８０】
また本実施形態では、トラッキング用のビーム２７０の波長と、記録用のビーム１７０の波長が、同じ青色波長領域であって、更に同じ波長に設定される。更に、サーボ層１８には、これらのビーム１７０、２７０のいずれかによって情報の記録が可能な記録再生膜が形成されている。サーボ層１８を記録層として有効活用すれば、光記録媒体１０の記録容量が増大すると共に、このサーボ層１８に対して管理情報を記録することが可能となる。例えば、記録再生開始時に、このサーボ層１８に記録されている管理情報を読み出せば、記録再生層群１６における記録開始位置や再生開始位置を素早く見つけることが出来るようになるので、記録再生効率を高めることが出来る。
【００８１】
この光記録媒体１０において、サーボ層１８と第１記録再生層１４Ａの間に配置されるバッファ層１７の厚さは、中間層群１６のいずれかの厚さと略同じに設定されている。このようにすることで、サーボ層１８と記録再生層群１４の距離が小さくなり、サーボ層１８におけるトラッキング信号を安定させることができる。また、サーボ層１８と記録再生層群１４の距離が小さくなるので、サーボ層１８を記録再生層として機能させる際、記録再生層群１６の記録再生に用いる第１光学系１００をそのまま利用することができるようになる。特に、第１光学系１００によって、サーボ層１８の位置推測が容易となり、サーボ層１８を第１光学系１００における記録再生層群１４の１つとして簡便に活用できるようになる。
【００８２】
なお、この光記録媒体１０では、クロストークを抑制するために、中間層群１６の厚さが２種類に設定され、且つ大小の膜厚が交互に設定されている。そこで本実施形態では、バッファ層１７の厚さを、第２中間層１６Ｂの膜厚となる１２μｍに設定することで、２種類の厚みの交互の関係に維持している。これにより、第１記録再生層１４Ａの再生時にサーボ層１８が悪影響を及ぼさないように配慮している。
【００８３】
また本実施形態では、光記録媒体１０において、サーボ層１８が、記録再生層群１４と比較して光入射面から遠い位置に配置されている。このようにすることで、支持基板１２に対して凹凸（ランド１８Ａ、グルーブ１８Ｂ）を直接形成することが可能となるので、サーボ層１８の作製が容易になり、製造コストを低減することが可能になる。
【００８４】
本実施形態の光記録媒体１０では、サーボ層１８を、光入射面１０Ａを基準として記録再生層群１４よりも遠い側に配置する場合に限って示したが、本発明はこれに限定されない。また。記録再生層群１４として記録再生層を６層以上備える場合に限って示したが、本発明はこれに限定されない。
【００８５】
図５に、他の実施例に係る光記録媒体１０として、サーボ層１８が、４層の記録再生層群１４よりも光入射面１０Ａ側に配置される場合を示す。このようにすると、サーボ層１８が光入射面１０Ａに近づくので、収差補正範囲の拡張性が高められ、トラッキング精度を高めることが出来る。なお、ここでは特に図示しないが、記録再生層群の中間にサーボ層を配置することも可能である。
【００８６】
更に本実施形態の光記録再生方法では、サーボ層利用ステップ及び記録済み領域利用ステップの双方において、記録対象となる記録再生層におけるデータ領域の全てに対して情報の記録が完了するまで、記録作業を継続するようにしているが、本発明はこれに限定されない。例えば図６（Ａ）、（Ｂ）に示されるように、記録再生層群１４のデータ領域を半径方向に沿って複数のエリアＥに分けて、このエリアＥ毎に積層方向に順番に記録していくことも可能である。
【００８７】
また本実施形態の光記録再生方法では、トラッキング制御を行っているサーボ層１８又は情報記録層の記録済み領域と、記録対象となっている記録再生層が、常に隣接している場合に限って示したが、本発明はこれに限定されない。例えば図７（Ａ）、（Ｂ）に示されるように、トラッキング制御を行っているサーボ層１８又は情報記録層の記録済み領域と、ビーム１７０によって記録対象となっている記録再生層の間に、他の記録再生層を介在させることも可能である。このように、記録再生用のビーム１７０とトラッキング制御用のビーム２７０の間に、膜厚公差が大きくならない範囲内で、ある程度の距離（焦点距離の差）を確保することが好ましい。この結果、互いのビーム１７０、２７０の拡がり角度差が大きくなるので、光記録媒体１０からの戻り光が混合しても、スリットやアパーチャを用いることで容易に分離できる。また、本実施形態のように、バッファ層１７を含めた中間層群１６の膜厚が交互に設定している場合、サーボ層１８又は情報記録層の記録済み領域と、記録対象となっている記録再生層の間に、一つの記録再生層を介在させることが好ましい。結果、焦点距離の差が常に一定の２８μｍ（１６μｍ＋１２μｍの和）となるので、トラッキング制御用のビーム２７０のフォーカス位置の設定が簡便になる。
【００８８】
なお、本実施形態では、記録再生層群において、２種類の層間距離（１６μｍ、１２μｍ）を交互に設定する場合を示したが、本発明はこれに限定されず、３種類以上の層間距離を組み合わせても良い。勿論、全て同じ膜厚に設定しても良い。
【００８９】
なお、上記実施形態の光記録再生方法が適用される光記録媒体は、記録再生層が予め成膜されている場合を示したが、本発明はこれに限定されない。例えば、光記録媒体内において、将来の複数の記録再生層となり得る場所の全体を、所定の厚みを有する一体的なバルク層とすることも可能である。このバルク層にビームが照射されると、ビームスポットの焦点部分のみが状態変化をおこして記録マークが形成される。即ち、本発明における多層光記録媒体は、ビームが照射される記録再生層が予め形成されたものに限られず、バルク内の平面領域に記録マークが随時形成され、この記録マークの集合体として、複数の記録再生層が事後的に多層形成される場合を含む。
【００９０】
このような場合、本光記録再生方法は、サーボ層を利用してトラッキングを行いながら、バルク層の一部の平面領域に記録マークを形成して記録再生層を事後的に形成していくサーボ層利用ステップと、バルク層内に事後的に形成された記録再生層の記録済み領域を利用してトラッキングを行いながら、バルク層の他の領域に記録マークを形成して記録再生層を事後的に形成する記録済み領域利用ステップの双方を備えればよい。この結果、バルク層に対して最初に情報を記録する際は、サーボ層利用ステップによって、サーボ層を積極的に利用してトラッキング制御を行う。一方、バルク層内に記録再生層が一旦形成されたら、記録済み領域利用ステップに移行し、このバルク層内の記録済み領域を利用してトラッキング制御を行いながら、他の場所に記録マークを形成することができる。
【００９１】
更に本実施形態では、ビーム１７０、２７０共に青色波長領域としたが、本発明はこれに限定されない。また例えば、ビーム２７０が、記録再生層群１４の記録済み領域を利用してトラッキング制御を行うことが出来る範囲内であれば、記録再生用のビーム１７０と異なる波長に設定することもできる。ビーム１７０、２７０に波長差を設けることで、波長選択特性を有するフィルターなどによって、混ざり合った戻り光を分離することが可能になる。
【産業上の利用可能性】
【００９２】
本発明の光記録媒体及び光記録再生方法は、サーボ層と記録再生層を有する各種光記録媒体に適用することができる。
【符号の説明】
【００９３】
１０              光記録媒体
１１              カバー層
１２              支持基板
１４              記録再生層群
１６              中間層群
１７              バッファ層
１８              サーボ層
９０              光ピックアップ
【図１】
2012164380.tif 000003
【図２】
2012164380.tif 000004
【図３】
2012164380.tif 000005
【図４】
2012164380.tif 000006
【図５】
2012164380.tif 000007
【図６】
2012164380.tif 000008
【図７】
2012164380.tif 000009